(57)【要約】【課題】センサ装置の異常発生検知に伴う警報に関する使い勝手を向上する。【解決手段】携帯電話事業者の携帯電話網を介して通話する携帯電話機能並びに携帯電話網を介さずに無線通信する無線通信機能を有する携帯電話端末３に対して、親機１と携帯電話端末３の無線通信機能とをインタフェースする無線Ｉ／Ｆ部１５を備え、無線Ｉ／Ｆ部１５を介してセンサ装置５，６が検知した異常発生を携帯電話端末３に通知する。そして、携帯電話端末３は、異常発生が通知されると警報状態になる。故に、加入者電話回線に契約していなくても、親機１だけでなく携帯電話端末３においても警報音の鳴動等ができるから、センサ装置５，６の異常発生検知に伴う警報に関する使い勝手が向上する。【選択図】        図１
2014116979.tif 000002
【特許請求の範囲】
【請求項１】
住戸の屋外に設置されるドアホン子器と、前記住戸の屋内に設置されるとともに信号線を介して前記ドアホン子器と接続されるインターホン親機と、前記住戸の屋外又は屋内に設置されるとともに異常を検出したときに前記インターホン親機に異常発生を伝える１乃至複数のセンサ装置とを備え、信号線を介して音声信号を授受することにより前記インターホン親機と前記ドアホン子器との間でインターホン通話が可能であり、且つ何れかの前記センサ装置から異常発生が伝えられたときに前記インターホン親機から警報音を鳴動してなるインターホンシステムにおいて、
前記インターホン親機は、マイクロホン及びスピーカと、音声スイッチ又はエコーキャンセラの少なくとも一方を具備して拡声通話を行うものであり、且つ携帯電話事業者の携帯電話網を介して通話する携帯電話機能並びに前記携帯電話網を介さずに無線ＬＡＮに関する規格に準拠して無線通信する無線通信機能を有する携帯電話端末の無線通信機能とインタフェースする無線インタフェース手段を備え、前記センサ装置から伝えられた異常発生を、前記無線インタフェース手段を介して前記携帯電話端末に通知して前記携帯電話端末を警報状態とすることを特徴とするインターホンシステム。
【請求項２】
前記通知を受けた前記携帯電話端末は、前記携帯電話端末の操作により、前記携帯電話端末の前記警報状態を解除可能であることを特徴とする請求項１に記載のインターホンシステム。
【請求項３】
前記通知を受けた前記携帯電話端末は、警報音を鳴動することを特徴とする請求項１または２に記載のインターホンシステム。
【請求項４】
前記通知を受けた前記携帯電話端末は、モニタ部に警報メッセージおよび警報の印のうち少なくとも一方を表示することを特徴とする請求項１〜３のいずれか１項に記載のインターホンシステム。
【請求項５】
住戸の屋内に設置されるとともに、前記住戸の屋外に設置されるドアホン子器と信号線を介して接続され、前記信号線を介して音声信号を授受することにより前記ドアホン子器との間でインターホン通話が可能なインターホン親機であって、
マイクロホン及びスピーカと、音声スイッチ又はエコーキャンセラの少なくとも一方を具備して拡声通話を行い、且つ携帯電話事業者の携帯電話網を介して通話する携帯電話機能並びに前記携帯電話網を介さずに無線ＬＡＮに関する規格に準拠して無線通信する無線通信機能を有する携帯電話端末の前記無線通信機能とインタフェースする無線インタフェース手段を備え、
前記住戸の屋外又は屋内に設置されるとともに異常を検出する１乃至複数のセンサ装置の何れかから異常発生が伝えられたときに警報音を鳴動し、前記センサ装置から伝えられた異常発生を、前記無線インタフェース手段を介して前記携帯電話端末に通知して前記携帯電話端末を警報状態とすることを特徴とするインターホン親機。
【発明の詳細な説明】
【技術分野】
【０００１】
本発明は、インターホンシステム及びインターホン親機に関する。
【背景技術】
【０００２】
従来より、住戸の屋外に設置されるドアホン子器と、住戸の屋内に設置されるとともに信号線を介してドアホン子器と接続されるインターホン親機と、住戸の屋外又は屋内に設置されるとともに異常を検出したときにインターホン親機に異常発生を伝える１乃至複数のセンサ装置（例えば、火災感知器やガス漏れ感知器など）とを備え、信号線を介して音声信号を授受することによりインターホン親機とドアホン子器との間でインターホン通話が可能であり、且つ何れかのセンサ装置から異常発生が伝えられたときにインターホン親機から警報音を鳴動してなるインターホンシステムが提供されている（特許文献１参照）。ここで、インターホン親機だけでなく、加入者電話回線に接続された一般の電話機でもドアホン子器との通話を可能としたインターホンシステムが既に提供されている（特許文献２参照）。
【０００３】
また、現在では一般の電話機にもワイヤレス子機を備えたものが広く普及しており、インターホン親機を介したドアホン子器との通話と電話機を介した外線通話の双方が可能なワイヤレス子機を備えたインターホンシステムも提供されている。ここで、かかるインターホンシステムにおいては、センサ装置から伝えられる異常発生（例えば、火災やガス漏れの発生）をインターホン親機から一般の電話機並びにワイヤレス子機に伝えて警報音を鳴動させることも可能である。
【先行技術文献】
【特許文献】
【０００４】
【特許文献１】特開平１０−３２６３９６号公報
【特許文献２】特開平５−３５７９号公報
【発明の概要】
【発明が解決しようとする課題】
【０００５】
ところで、近年では携帯電話の契約数が加入者電話回線の契約数を追い越し、加入者電話回線を契約せずに携帯電話で自宅からの外線通話を行う家庭が増加してきている。すなわち、加入者電話回線に契約していない家庭では、一般の電話機並びにワイヤレス子機から異常発生を知らせる警報音を鳴動させることができず、使い勝手が悪いものであった。
【０００６】
本発明は、上記事情に鑑みて為されたものであり、センサ装置の異常発生検知に伴う警報に関する使い勝手を向上することを目的とする。
【課題を解決するための手段】
【０００７】
本発明のインターホンシステムは、住戸の屋外に設置されるドアホン子器と、前記住戸の屋内に設置されるとともに信号線を介して前記ドアホン子器と接続されるインターホン親機と、前記住戸の屋外又は屋内に設置されるとともに異常を検出したときに前記インターホン親機に異常発生を伝える１乃至複数のセンサ装置とを備え、信号線を介して音声信号を授受することにより前記インターホン親機と前記ドアホン子器との間でインターホン通話が可能であり、且つ何れかの前記センサ装置から異常発生が伝えられたときに前記インターホン親機から警報音を鳴動してなるインターホンシステムにおいて、前記インターホン親機は、マイクロホン及びスピーカと、音声スイッチ又はエコーキャンセラの少なくとも一方を具備して拡声通話を行うものであり、且つ携帯電話事業者の携帯電話網を介して通話する携帯電話機能並びに前記携帯電話網を介さずに無線ＬＡＮに関する規格に準拠して無線通信する無線通信機能を有する携帯電話端末の無線通信機能とインタフェースする無線インタフェース手段を備え、前記センサ装置から伝えられた異常発生を、前記無線インタフェース手段を介して前記携帯電話端末に通知して前記携帯電話端末を警報状態とすることを特徴とする。
【０００８】
このインターホンシステムにおいて、前記通知を受けた前記携帯電話端末は、前記携帯電話端末の操作により、前記携帯電話端末の前記警報状態を解除可能であることが好ましい。
【０００９】
このインターホンシステムにおいて、前記通知を受けた前記携帯電話端末は、警報音を鳴動することが好ましい。
【００１０】
このインターホンシステムにおいて、前記通知を受けた前記携帯電話端末は、モニタ部に警報メッセージおよび警報の印のうち少なくとも一方を表示することが好ましい。
【００１１】
本発明のインターホン親機は、住戸の屋内に設置されるとともに、前記住戸の屋外に設置されるドアホン子器と信号線を介して接続され、前記信号線を介して音声信号を授受することにより前記ドアホン子器との間でインターホン通話が可能なインターホン親機であって、マイクロホン及びスピーカと、音声スイッチ又はエコーキャンセラの少なくとも一方を具備して拡声通話を行い、且つ携帯電話事業者の携帯電話網を介して通話する携帯電話機能並びに前記携帯電話網を介さずに無線ＬＡＮに関する規格に準拠して無線通信する無線通信機能を有する携帯電話端末の前記無線通信機能とインタフェースする無線インタフェース手段を備え、前記住戸の屋外又は屋内に設置されるとともに異常を検出する１乃至複数のセンサ装置の何れかから異常発生が伝えられたときに警報音を鳴動し、前記センサ装置から伝えられた異常発生を、前記無線インタフェース手段を介して前記携帯電話端末に通知して前記携帯電話端末を警報状態とすることを特徴とする。
【発明の効果】
【００１２】
本発明のインターホンシステム及びインターホン親機は、加入者電話回線に契約していなくても、インターホン親機だけでなく携帯電話端末を使ってセンサ装置による異常発生の通知を受け取ることができるから使い勝手が向上し、しかも、携帯電話端末による通知の受け取りにおいては携帯電話事業者の携帯電話網を介さないから、通知の受け取りに要するコストを大幅に低減することが可能になり、その結果、センサ装置の異常発生検知に伴う警報に関する使い勝手を向上することができるという効果がある。
【図面の簡単な説明】
【００１３】
【図１】本発明の実施形態を示すシステム構成図である。
【図２】同上においてドアホン子器と携帯電話端末の通話に関する動作を説明するためのシーケンス図である。
【図３】同上において携帯電話端末と増設親機の内線通話に関する動作を説明するためのシーケンス図である。
【図４】同上において携帯電話端末と増設親機への異常発生通知に関する動作を説明するためのシーケンス図である。
【発明を実施するための形態】
【００１４】
以下、図面を参照して本発明の実施形態を詳細に説明する。
【００１５】
本実施形態は戸建て住宅向けのインターホンシステムに本発明の技術思想を適用したものであって、図１に示すように住戸の屋外（玄関）に設置されるドアホン子器２と、住戸の屋内に設置されるとともに信号線Ｌｓを介してドアホン子器２と接続されるインターホン親機（以下、「親機」と略す。）１と、住戸の屋外又は屋内に設置されるとともに異常（例えば、火災）を検出したときに親機１に異常発生を伝える複数のセンサ装置５，６とを備えている。また、本実施形態における親機１は、後述する無線インタフェース手段を介して携帯電話端末３と無線通信することが可能である。
【００１６】
携帯電話端末３は、例えばＷ−ＣＤＭＡ(Wideband Code Division Multiple Access)方式の第３世代携帯電話端末であって、マイクロホン３０並びにスピーカ３１と、携帯電話事業者の基地局と無線通信するための第１無線部３２と、無線ＬＡＮに関する規格（例えば、IEEE 802.11諸規格）に準拠した無線通信を行うための第２無線部３３と、液晶表示器などの表示デバイスを有するモニタ部３４と、テンキー等の操作釦を具備して操作入力を受け付ける操作入力受付部３５と、ＣＰＵを主構成要素とし各部の制御を行う端末制御部３６とを具備し、第１無線部３２により携帯電話事業者の携帯電話網を介して通話する携帯電話機能、並びに第２無線部３３により携帯電話網を介さずに無線通信する無線通信機能（無線ＬＡＮ機能）を有している。但し、携帯電話端末３の携帯電話機能並びにIEEE 802.11諸規格に準拠した無線ＬＡＮ機能については従来周知であるから詳細な説明を省略する。
【００１７】
ドアホン子器２は、マイクロホン２０並びにスピーカ２１と、音声信号の２線４線変換処理や呼出釦（図示せず）の操作に伴う呼出信号の伝送処理を行う通話処理部２２と、来訪者を撮像する撮像部２３と、撮像部２３から出力する映像信号を変調して通話処理部２２から出力する音声信号と周波数分割多重するとともに信号線Ｌｓを介して親機１から伝送されてくる音声信号を分離する多重分離処理部２４とを具備している。但し、かかるドアホン子器２の構成は従来周知であるから、詳細な説明は省略する。
【００１８】
センサ装置５は、通信線Ｌｘにより親機１と接続される有線タイプの火災感知器からなり、火災に伴う煙や温度上昇を検出するセンシング部５０と、２線式の通信線Ｌｘに接続された接点出力部５１と、マイコンを主構成要素としセンシング部５０の検出出力に基づいて火災を感知するとともに火災を感知したときに接点出力部５１より無電圧接点信号を出力（発報）する感知器制御部５２と、各部に電源を供給する電源部５３とを具備している。また、センサ装置６は、電波を媒体とするワイヤレス信号で発報する無線タイプの火災感知器からなり、火災に伴う煙や温度上昇を検出するセンシング部６０と、特定小電力無線の規格に準拠したワイヤレス信号を送信するワイヤレス信号送信部５１と、マイコンを主構成要素としセンシング部５０の検出出力に基づいて火災を感知するとともに火災を感知したときにワイヤレス信号送信部５１より火災発生を知らせるワイヤレス信号を送信（発報）させる感知器制御部６２と、各部に電源を供給する電源部６３とを具備している。但し、かかるセンサ装置５，６の構成は従来周知であるから、詳細な説明は省略する。
【００１９】
親機１は、信号線Ｌｓを介してドアホン子器２より周波数分割多重伝送される映像信号と音声信号を分離するとともにドアホン子器２に対して信号線Ｌｓを介して音声信号を伝送する多重分離処理部１０と、液晶表示器やＣＲＴなどの表示デバイスを有し多重分離処理部１０で分離された映像信号を復調して表示するモニタ部１１と、マイクロホン並びにスピーカ、マイクロホンの出力を増幅するマイクロホンアンプ、スピーカへの入力を増幅するスピーカアンプを有する音声入出力部１２と、応答釦（図示せず）等の操作釦を具備して操作入力を受け付ける操作入力受付部１３と、ＣＰＵを主構成要素とし各部の制御を行う親機制御部１４と、親機１（親機制御部１４）と携帯電話端末３の無線通信機能とをインタフェースする無線インタフェース（Ｉ／Ｆ）部１５と、センサ装置５から通信線Ｌｘに出力される無電圧接点信号を入力する接点入力部１６と、センサ装置６から送信されたワイヤレス信号を受信するワイヤレス信号インタフェース手段たるワイヤレス信号受信部１７とを具備している。なお、無線Ｉ／Ｆ部１５は、携帯電話端末３の第２無線部３３と同様に無線ＬＡＮに関する規格（例えば、IEEE 802.11諸規格）に準拠した無線通信を行うものである。
【００２０】
また本実施形態は、携帯電話端末３と同様に親機１との間で無線通信する機能を有した通話装置（以下、「増設親機」と呼ぶ。）４を備えている。この増設親機４は、液晶表示器やＣＲＴなどの表示デバイスを有するモニタ部４０と、マイクロホン並びにスピーカ、マイクロホンの出力を増幅するマイクロホンアンプ、スピーカへの入力を増幅するスピーカアンプを有する音声入出力部４１と、応答釦（図示せず）等の操作釦を具備して操作入力を受け付ける操作入力受付部４２と、ＣＰＵを主構成要素とし各部の制御を行う増設親機制御部４３と、無線ＬＡＮに関する規格（例えば、IEEE 802.11諸規格）に準拠した無線通信を行うための無線通信部４４とを具備している。ここで、親機１、携帯電話端末３、増設親機４には各々固有のＩＰアドレス（プライベートアドレス）が割り当てられ、ＩＰアドレスによって互いが認識可能となっている。但し、規格（例えば、IEEE 802.11諸規格）に準拠した無線通信の詳細については周知であるから説明を省略する。また、親機１の音声入出力部１２並びに増設親機４の音声入出力部４１が、各々エコーキャンセラ若しくは音声スイッチの少なくとも何れか一方を具備すれば、親機１並びに増設親機４で拡声通話（ハンズフリー通話）を行うことができる。
【００２１】
次に本実施形態の動作を説明する。まず、ドアホン子器２と親機１との間で通話するインターホンシステムの基本動作について簡単に説明する。
【００２２】
来訪者がドアホン子器２の呼出釦（図示せず）を押操作すると信号線Ｌｓを介して親機１に呼出信号が伝送され、親機１においては親機制御部１４により音声入出力部１２のスピーカから呼出音を鳴動させるとともに信号線Ｌｓを介して電源を供給することでドアホン子器２の撮像部２３を起動し、撮像部２３で撮像された映像（動画）をモニタ部１１に表示させる。そして、モニタ部１１に表示された映像で来訪者を確認した家人が親機１の操作入力受付部１３に設けられた応答釦（図示せず）を押操作すれば、親機制御部１４によりドアホン子器２との間に信号線Ｌｓを介した通話路が形成されて親機１とドアホン子器２との間において通話が可能になるとともに、通話中においては親機１のモニタ部１１にドアホン子器２から伝送される映像を表示させることが可能になる。但し、親機１とドアホン子器２との間の通話並びに映像伝送は、応答釦が押操作されてから所定時間が経過するか若しくは再度応答釦が押操作されたときに終了する。
【００２３】
続いて、図２のシーケンス図を参照しながらドアホン子器２と携帯電話端末３との通話に関する動作を説明する。
【００２４】
呼出釦が押操作されてドアホン子器２から信号線Ｌｓを介して呼出信号が送信されると、親機１の親機制御部１４が無線Ｉ／Ｆ部１５より携帯電話端末３に対して呼出通知を行うとともに音声入出力部１２のスピーカから呼出音を鳴動させる。携帯電話端末３では、親機１から送信された呼出通知を第２無線部３３で受信すると端末制御部３６がスピーカ３１から呼出音を鳴動させる。そして、呼出音を聞いた家人が携帯電話端末３の操作入力受付部３５に設けられた応答釦（図示せず）を押操作すれば、端末制御部３６が第２無線部３３より親機１に対して応答通知を行う。親機１では、携帯電話端末３から送信された応答通知を無線Ｉ／Ｆ部１５で受信すると、親機制御部１４がドアホン子器２との間に信号線Ｌｓを介した通話路を形成するとともに無線Ｉ／Ｆ部１５より携帯電話端末３に対して通話許可通知を行い、さらに音声入出力部１２のスピーカから鳴動させていた呼出音を停止する。携帯電話端末３では、親機１から送信された通話許可通知を第２無線部３３で受信すると端末制御部３６がスピーカ３１から鳴動させていた呼出音を停止する。そして、ドアホン子器２から親機１に伝送された映像と音声（送話音声）が親機制御部１４で各々映像データと音声データに変換されて無線Ｉ／Ｆ部１５より携帯電話端末３へ送信され、携帯電話端末３においては、親機１から送信された映像データと音声データを第２無線部３３で受信すると端末制御部３６が映像データから元の映像を再構成してモニタ部３４に表示させるとともに音声データをアナログの音声信号に変換してスピーカ３１から音声（受話音声）を鳴動させる。また、マイクロホン３０から入力した音声（送話音声）が端末制御部３６で音声データに変換されて第２無線部３３より親機１へ送信され、親機１においては、携帯電話端末３から送信された音声データを無線Ｉ／Ｆ部１５で受信すると親機制御部１４が音声データをアナログの音声信号に変換して多重分離処理部１０よりドアホン子器２に送信し、ドアホン子器２のスピーカ２１から音声（受話音声）が鳴動されてドアホン子器２と携帯電話端末３との間で通話が可能となる。但し、親機１を介した携帯電話端末３とドアホン子器２との間の通話並びに映像伝送は、携帯電話端末３で応答釦が押操作されてから所定時間が経過するか若しくは再度応答釦が押操作されたときに終了する。
【００２５】
また、増設親機４が設置されている場合、親機１から送信された呼出通知を増設親機４の無線通信部４４で受信すると増設親機制御部４３が音声入出力部４１のスピーカから呼出音を鳴動させる。そして、呼出音を聞いた家人が増設親機４の操作入力受付部４２に設けられた応答釦（図示せず）を押操作すれば、増設親機制御部４３が無線通信部４４より親機１に対して応答通知を行う。親機１では、増設親機４から送信された応答通知を無線Ｉ／Ｆ部１５で受信すると、親機制御部１４がドアホン子器２との間に信号線Ｌｓを介した通話路を形成するとともに無線Ｉ／Ｆ部１５より増設親機４に対して通話許可通知を行い、さらに音声入出力部１２のスピーカから鳴動させていた呼出音を停止する。増設親機４では、親機１から送信された通話許可通知を無線通信部４４で受信すると増設親機制御部４３が音声入出力部４１のスピーカから鳴動させていた呼出音を停止する。そして、ドアホン子器２から親機１に伝送された映像と音声（送話音声）が親機制御部１４で各々映像データと音声データに変換されて無線Ｉ／Ｆ部１５より増設親機４へ送信され、増設親機４においては、親機１から送信された映像データと音声データを無線通信部４４で受信すると増設親機制御部４３が映像データから元の映像を再構成してモニタ部４０に表示させるとともに音声データをアナログの音声信号に変換して音声入出力部４１のスピーカから音声（受話音声）を鳴動させる。また、音声入出力部４１のマイクロホンから入力した音声（送話音声）が増設親機制御部４３で音声データに変換されて無線通信部４４より親機１へ送信され、親機１においては、増設親機４から送信された音声データを無線Ｉ／Ｆ部１５で受信すると親機制御部１４が音声データをアナログの音声信号に変換して多重分離処理部１０よりドアホン子器２に送信し、ドアホン子器２のスピーカ２１から音声（受話音声）が鳴動されてドアホン子器２と増設親機４との間で通話が可能となる。
【００２６】
次に、図４のシーケンス図を参照しながら本発明の要旨である携帯電話端末３への異常発生通知に関する動作を説明する。
【００２７】
異常発生（火災）を検知した何れかのセンサ装置５，６が親機１に発報すると、親機１の親機制御部１４が無線Ｉ／Ｆ部１５より携帯電話端末３並びに増設親機４に対して異常発生通知を行うとともに音声入出力部１２のスピーカから異常発生を知らせる警報音を鳴動させ、さらにモニタ部１１に警報メッセージや警報の印を表示させる。携帯電話端末３では、親機１から送信された異常発生通知を第２無線部３３で受信すると端末制御部３６がスピーカ３１から警報音を鳴動させるとともに、モニタ部３４に警報メッセージや警報の印を表示させる。同様に、増設親機４では、親機１から送信された異常発生通知を無線通信部４４で受信すると増設親機制御部４３が音声入出力部４１のスピーカから警報音を鳴動させるとともに、モニタ部４０に警報メッセージや警報の印を表示させる。なお、警報音の鳴動等が行われる警報状態は、それぞれの操作入力受付部１３，３５，４２で所定の警報解除操作入力が受け付けられたときに解除されて警報音の鳴動等が停止する。
【００２８】
上述のように本実施形態によれば、加入者電話回線に契約していなくても、親機１だけでなく携帯電話端末３においても警報音の鳴動等ができるから、センサ装置５，６の異常発生検知に伴う警報に関する使い勝手が向上し、しかも、携帯電話端末３による異常発生通知の受け取りにおいては携帯電話事業者の携帯電話網を介さないから、受け取りに要するコストを大幅に低減することが可能である。また、増設親機４でも携帯電話端末３と同様に警報音の鳴動等が可能であり、携帯電話端末３と比較してモニタ部４０の画面サイズが大きいために警報表示が見やすいという利点がある。しかも、異常発生の通知をセンサ装置５，６から親機１へワイヤレス信号で伝送するため、親機１とセンサ装置５，６を接続する配線が不要となって省配線化が可能となる。なお、本実施形態では無線インタフェース手段（無線Ｉ／Ｆ部１５）とワイヤレス信号インタフェース手段（ワイヤレス信号受信部１７）を親機１に内蔵しているので、これらの設置スペースが不要になるという利点もある。ただし、これら２つの手段の両方若しくは片方を親機１と別体に構成しても構わないし、さらには、ワイヤレス信号インタフェース手段を携帯電話端末３又は増設親機４の少なくとも何れか一方に具備しても構わない。この場合、センサ装置６から送信されたワイヤレス信号をワイヤレス信号インタフェース手段により受信した携帯電話端末３又は増設親機４において、第２無線部３５若しくは無線通信部４４より親機１に対して異常発生通知を行う。また、本実施形態では戸建て住宅向けのインターホンシステムを例示したが、集合住宅向けのインターホンシステムに本発明の技術思想を適用しても同様の効果を奏することは言うまでもない。なお、無線Ｉ／Ｆ部やワイヤレス信号受信部１７を、親機１の横に並設可能な薄型のパネル形状のユニットとして構成すれば、親機１の美観を損ねることもなく、しかも、容易に後付が可能になるから使い勝手が向上するという利点もある。
【符号の説明】
【００２９】
１  インターホン親機
２  ドアホン子器
３  携帯電話端末
５，６  センサ装置
１５  無線インタフェース（Ｉ／Ｆ）部
３２  第１無線部
３３  第２無線部
【図１】
2014116979.tif 000003
【図２】
2014116979.tif 000004
【図３】
2014116979.tif 000005
【図４】
2014116979.tif 000006